(57)【要約】      （修正有）【課題】逆流による風切り音が生じられないように、吹き出した風の逆流を止めることができる換気扇装置を提供する。【手段】換気扇装置は、ケーシング１、貫流ファン２、第１のモーター及び底板４を含む。ケーシングは第１の側板、第２の側板及び保護板セットを含む。ケーシングの内部に収容スペース１３が形成される。ケーシングの一端に第１の開口１４が形成される。貫流ファンはケーシングの収容スペース内に回転可能に設けられ、その一端が第１の側板の内側に枢着される。第１のモーターは貫流ファンの傍に位置し、且つ貫流ファンの他端に接続される。底板はケーシングの第１の開口に設けられる。底板にケーシングの第１の開口に連通する第２の開口４１と第３の開口４２とが設けられる。二つのフラップ３０はケーシングの収容スペース内に設けられ、貫流ファンの両側と第３の開口の両側との間に位置している。【選択図】図５
0003204191.tif 000002
【実用新案登録請求の範囲】
【請求項１】
第１の側板と、第２の側板と、前記第１の側板と前記第２の側板との間に接続される保護板セットとを含み、内部に前記第１の側板及び前記第２の側板と前記保護板セットとの間に位置する収容スペースが形成され、一端に前記収容スペースに連通する第１の開口が形成されるケーシングと、
前記ケーシングの前記収容スペース内に回転可能に設けられ、一端が軸受け基板及びベアリングゴム部材を介して前記第１の側板に枢着される貫流ファンと、
前記貫流ファンの傍に位置し、前記ケーシング内に前記第２の側板と間隔を隔てて設けられるモーターベースが設けられ、前記モーターベースにおける前記貫流ファンから離れた側に位置し、且つ前記モーターベースと前記第２の側板との間に位置する第１のモーターであって、前記第２の側板に環形状の第１のゴム部材が設けられたモーター外蓋が固定され、前記モーターベースに環形状の第２のゴム部材が設けられたモーター裏蓋が固定され、前記第１のモーターの両端が前記第１のゴム部材及び前記第２のゴム部材内にそれぞれ設けられることによって、前記第１のモーターが前記第１のゴム部材、前記モーター外蓋、前記第２のゴム部材、前記モーター裏蓋により前記モーターベースと前記第２の側板に設けられ、前記貫流ファンの他端に接続される第１のモーターと、
前記ケーシングの前記第１の開口に設けられ、前記ケーシングの前記第１の開口に連通する第２の開口及び第３の開口が設けられる底板と、
前記ケーシングの前記収容スペース内に設けられ、前記貫流ファンの両側と前記第３の開口の両側との間に位置する二つのフラップと、
を含むことを特徴とする換気扇装置。
【請求項２】
前記軸受け基板は前記第１の側板に固定され、
前記ベアリングゴム部材は、ベアリングと前記ベアリングの外縁に嵌設されるゴムリングとを含み、
前記貫流ファンの一端は前記ベアリングに穿設され、
前記ゴムリングが前記軸受け基板の対応する凹溝内に嵌設されることによって、前記ベアリングゴム部材が前記貫流ファンの一端と前記軸受け基板との間に設けられることを特徴とする請求項１に記載の換気扇装置。
【請求項３】
前記底板における前記ケーシングに背向する側には、前記第２の開口に対応する吸込口と前記第３の開口に対応する吹出口とを有するパネルが設けられることを特徴とする請求項１に記載の換気扇装置。
【請求項４】
前記ケーシングにおける前記第３の開口に対応する位置にはフレームベースが設けられ、
両端が前記フレームベースの両側に枢設される少なくとも一つの第１のファンブレードと、第１の伝動機構を介して前記第１のファンブレードに接続される第２のモーターとを含む上下導風機構と、
両端が前記フレームベースの頂側及び底側に枢設される少なくとも一つの第２のファンブレードと、前記フレームベースの一側に設けられ、第２の伝動機構を介して前記第２のファンブレードに接続される第３のモーターとを含む左右導風機構と、
を更に含むことを特徴とする請求項１に記載の換気扇装置。
【請求項５】
前記フレームベースは、第１の接続板、第２の接続板、第１の固定板及び第２の固定板を含み、
前記第１の接続板及び前記第２の接続板は、互いに平行かつ間隔をあけて設けられ、
前記第１の固定板及び前記第２の固定板は、前記第１の接続板と前記第２の接続板の両端との間に接続され、
前記第１の接続板には制御板が接続され、
前記第１の接続板及び前記制御板は前記第２の開口と前記第３の開口との間に位置し、
前記制御板と前記底板との間には少なくとも一つの支持片が設けられ、
前記第１の接続板と前記第２の接続板との間には少なくとも一つの支持バーが設けられることを特徴とする請求項４に記載の換気扇装置。
【請求項６】
第１の側板と、第２の側板と、前記第１の側板と前記第２の側板との間に接続される保護板セットとを含み、内部に前記第１の側板及び前記第２の側板と前記保護板セットとの間に位置する収容スペースが形成され、一端に前記収容スペースに連通する第１の開口が形成されるケーシングと、
前記ケーシングの前記収容スペース内に回転可能に設けられ、一端が前記第１の側板の内側に枢着される貫流ファンと、
前記貫流ファンの傍に位置し、前記貫流ファンの他端に接続される第１のモーターと、
前記ケーシングの前記第１の開口に設けられ、前記ケーシングの前記第１の開口に連通する第２の開口及び第３の開口が設けられる底板と、
前記ケーシングの前記収容スペース内に設けられ、前記貫流ファンの両側と前記第３の開口の両側との間に位置する二つのフラップと、
を含むことを特徴とする換気扇装置。
【請求項７】
前記貫流ファンの一端は軸受け基板及びベアリングゴム部材を介して前記第１の側板に枢着されることを特徴とする請求項６に記載の換気扇装置。
【請求項８】
前記軸受け基板は前記第１の側板に固定され、
前記ベアリングゴム部材は、ベアリングと前記ベアリングの外縁に嵌設されるゴムリングとを含み、
前記貫流ファンの一端は前記ベアリングに穿設され、
前記ゴムリングが前記軸受け基板の対応する凹溝内に嵌設されることによって、前記ベアリングゴム部材が前記貫流ファンの一端と前記軸受け基板との間に設けられることを特徴とする請求項７に記載の換気扇装置。
【請求項９】
前記ケーシング内には、前記第２の側板と間隔を隔てて設けられるモーターベースが設けられ、
前記第１のモーターは、前記モーターベースにおける前記貫流ファンから離れた側に位置し、且つ前記モーターベースと前記第２の側板との間に位置し、
前記第２の側板には、環形状の第１のゴム部材が設けられたモーター外蓋が固定され、
前記モーターベースには、環形状の第２のゴム部材が設けられたモーター裏蓋が固定され、
前記第１のモーターの両端が前記第１のゴム部材及び前記第２のゴム部材内にそれぞれ設けられることによって、前記第１のモーターが前記第１のゴム部材、前記モーター外蓋、前記第２のゴム部材、前記モーター裏蓋により前記モーターベースと前記第２の側板に設けられることを特徴とする請求項６に記載の換気扇装置。
【考案の詳細な説明】
【技術分野】
【０００１】
本考案は換気扇装置に関し、特に、天井または軽量形鋼フレーム等の箇所に取り付けられ、エアコンと協力して冷房効果を達成するための換気扇装置に関する。
【背景技術】
【０００２】
出願人は「補助送風装置」（台湾の実用新案登録番号第Ｍ４５３７３８号）を既に提出した。この補助送風装置はエアコンと合わせて使用される場合、室内の空気を速く対流させ、室内の冷気の分布を均一なものとすることができる。また、モーターをケーシングの外部に設けることによって、モーターと風経路を分けさせ、モーターによる廃熱が風経路に入らないので、好ましい冷房効果を生じることができる。この補助送風装置は既によい省エネルギー効果が達成できたが、風を吹き出した時、ケーシングの内部の貫流ファンの両側がマイナス圧になるので、吹き出した風の逆流を引き起こしやすく、更に逆流による風切り音が生じる。なお、従来のファン（循環ファン）では、モーターが運転している場合、共振が生じやすく、振動騒音がある。
【先行技術文献】
【特許文献】
【０００３】
【特許文献１】台湾の実用新案登録番号第Ｍ４５３７３８号
【考案の概要】
【考案が解決しようとする課題】
【０００４】
本考案は、逆流による風切り音が生じられないように、吹き出した風の逆流を止めることができる換気扇装置を提供することを課題とする。
【０００５】
また、本考案は、モーターの共振を防止でき、振動騒音を低減させる換気扇装置を提供することを課題とする。
【課題を解決するための手段】
【０００６】
本考案は、第１の側板と、第２の側板と、この第１の側板とこの第２の側板との間に接続される保護板セットとを含み、内部にこの第１の側板及びこの第２の側板とこの保護板セットとの間に位置する収容スペースが形成され、一端にこの収容スペースに連通する第１の開口が形成されるケーシングと、このケーシングの収容スペース内に回転可能に設けられ、一端が軸受け基板及びベアリングゴム部材を介してこの第１の側板に枢着される貫流ファンと、この貫流ファンの傍に位置し、このケーシング内にこの第２の側板と間隔を隔てて設けられるモーターベースが設けられ、このモーターベースにおけるこの貫流ファンから離れた側に位置し、且つこのモーターベースとこの第２の側板との間に位置する第１のモーターであって、この第２の側板に環形状の第１のゴム部材が設けられたモーター外蓋が固定され、このモーターベースに環形状の第２のゴム部材が設けられたモーター裏蓋が固定され、この第１のモーターの両端がこの第１のゴム部材及びこの第２のゴム部材内にそれぞれ設けられることによって、この第１のモーターがこの第１のゴム部材、このモーター外蓋、この第２のゴム部材、このモーター裏蓋によりこのモーターベースとこの第２の側板に設けられ、この貫流ファンの他端に接続される第１のモーターと、このケーシングの第１の開口に設けられ、このケーシングの第１の開口に連通する第２の開口及び第３の開口が設けられる底板と、このケーシングの収容スペース内に設けられ、この貫流ファンの両側とこの第３の開口の両側との間に位置する二つのフラップとを含む換気扇装置を提供する。
【考案の効果】
【０００７】
本考案の換気扇装置はケーシングの収容スペース内に二つのフラップが設けられ、二つのフラップが貫流ファンの両側と第３の開口の両側との間に位置している。二つのフラップは逆流による風切り音が生じられないように、吹き出した風の逆流を止めることができる。
【０００８】
さらに、本考案の換気扇装置の第１のモーターはモーターベースと第２の側板との間に位置し、第２の側板にモーター外蓋が固定され、モーター外蓋に第１のゴム部材が設けられ、モーターベースにモーター裏蓋が固定され、モーター裏蓋に第２のゴム部材が設けられ、第１のモーターの両端が第１のゴム部材及び第２のゴム部材内にそれぞれ設けられ、第１のモーターの外部に第１のゴム部材及び第２のゴム部材が被覆されているので、共振を効果的に減少させ、振動騒音を低減させることができる。
【図面の簡単な説明】
【０００９】
【図１】図１は本考案に係る換気扇装置の分解斜視図である。
【図２】図２は本考案に係る換気扇装置の斜視図である。
【図３】図３は本考案に係る換気扇装置を他の角度から見た斜視図である。
【図４】図４は本考案に係る換気扇装置の正面図である。
【図５】図５は図４のＶ−Ｖ断面図である。
【図６】図６は本考案に係る換気扇装置の断面図である。
【考案を実施するための形態】
【００１０】
図１から図６を参照する。本考案はケーシング１と、貫流ファン２と、第１のモーター３と、底板４とを含む換気扇装置を提供する。
【００１１】
このケーシング１は中空体であり、このケーシング１の外形は限られるものではない。本実施例において、このケーシング１は円弧形体を呈しており、第１の側板１１ａと、第２の側板１１ｂと、保護板セット１２とを含む。保護板セット１２は一体式または複数の部分からなる組み立て式のものであってもよい。この保護板セット１２は第１の保護板１２１と、第２の保護板１２２と、第３の保護板１２３とを含んで構成され、第２の保護板１２２は第１の保護板１２１と第３の保護板１２３との間に接続され、この保護板セット１２は第１の側板１１ａと第２の側板１１ｂとの間に接続される。このケーシング１のサイズ（例えば、長さ、幅等）は限られるものではない。
【００１２】
このケーシング１の内部には収容スペース１３が形成されており、この収容スペース１３は第１の側板１１ａ及び第２の側板１１ｂと保護板セット１２との間に位置し、貫流ファン２を収容することができる。このケーシング１の一端には第１の開口１４が形成されており、第１の開口１４が収容スペース１３に連通する。このケーシング１の保護板セット１２の内壁も気流の流れがガイドされるように、斜面または弧面等の形状に形成されてもよい。
【００１３】
この貫流ファン２はケーシング１の収容スペース１３内に設けられる。この貫流ファン２はプラスチックとアルミニウム製の素材を採用してもよいが、限られるものではない。この貫流ファン２はケーシング１内に回転可能に設けられ、複数の円弧形のファンブレード２１を有している。これらのファンブレード２１は間隔を隔てて設けられ、円柱状に配列される。この貫流ファン２はケーシング１の内部で旋回自由に回転できる。
【００１４】
この貫流ファン２の一端は軸受け基板２２及びベアリングゴム部材２３を介して第１の側板１１ａに枢着でき、つまり、軸受け基板２２はねじ止めまたは半田付け等の方式により第１の側板１１ａに固定できる。ベアリングゴム部材２３はベアリング２３１とベアリング２３１の外縁に嵌設されるゴムリング２３２とを含んでもよい。貫流ファン２の一端がベアリング２３１に穿設され、ゴムリング２３２が軸受け基板２２の対応する凹溝２２１内に嵌設されることによって、ベアリングゴム部材２３が貫流ファン２の一端と軸受け基板２２との間に設けられるようになる。貫流ファン２の一端はベアリングゴム部材２３及び軸受け基板２２を介して第１の側板１１ａの内側に枢着できる。この貫流ファン２の他端は第１のモーター３に好適に接続されている。
【００１５】
この第１のモーター３はケーシング１に設けられ、貫流ファン２の傍（外側）に位置している。本実施例において、このケーシング１内にモーターベース３１が設けられている。このモーターベース３１はねじ止めまたは半田付け等の方式によりケーシング１内に固定できる。このモーターベース３１はケーシング１の第２の側板１１ｂと間隔を隔てて設けられ、モーターベース３１と第２の側板１１ｂとの間に位置している。
【００１６】
この第２の側板１１ｂにはねじ止めまたは半田付け等の方式によりモーター外蓋３２が固定されている。このモーター外蓋３２には環形状の第１のゴム部材３３が設けられる。つまり、この第１のゴム部材３３はモーター外蓋３２における第１のモーター３に対向する側に嵌設されてよい。このモーターベース３１にはねじ止めまたは半田付け等の方式によりモーター裏蓋３４が固定されている。このモーター裏蓋３４には環形状の第２のゴム部材３５が設けられ、つまり、この第２のゴム部材３５はモーター裏蓋３４における第１のモーター３に対向する側に嵌設されてよい。
【００１７】
第１のモーター３の両端は第１のゴム部材３３及び第２のゴム部材３５内にそれぞれ設けられ、つまり、第１のモーター３の両端に形成された凸出部分は第１のゴム部材３３及び第２のゴム部材３５内に挿設でき、第１のゴム部材３３及び第２のゴム部材３５を第１のモーター３の両端に被覆することによって、この第１のモーター３が第１のゴム部材３３、モーター外蓋３２及び第２のゴム部材３５、モーター裏蓋３４によりモーターベース３１と第２の側板１１ｂに設けられるようになる。この第１のモーター３はモーターベース３１における貫流ファン２から離れた側に位置し、貫流ファン２の他端に接続され、つまり、第１のモーター３の回転軸心は貫流ファン２の他端に接続され、この貫流ファン２が第１のモーター３によって回転駆動されるようになる。
【００１８】
この第１のモーター３の型式は限られるものではない。第１のモーター３は好適な制御回路（例えば、制御ボックス１０）に電気的に接続される。この第１のモーター３はモーターベース３１と第２の側板１１ｂとの間に設けられ、この第１のモーター３の外部には第１のゴム部材３３及び第２のゴム部材３５が被覆されることによって、共振を減少させ、振動騒音を低減させる。
【００１９】
この底板４は堅固なフレームが形成されるように、金属板により作製可能である。このケーシング１はねじ止めまたは係着等の方式により底板４に組み立て可能である。本考案の換気扇装置を取り付けようとする場合、この底板４をねじ止め等の方式により天井または軽量形鋼フレーム等の箇所に固定しておいて、換気扇装置の他の部分をケーシング１により底板４に組み立てることによって、この底板４をケーシング１の第１の開口１４に設置してもよい。本考案の換気扇装置は組み立て完了した後、底板４をねじ止め等の方式により天井または軽量形鋼フレーム等の箇所に固定してもよい。この底板４に第２の開口４１及び第３の開口４２が設けられ、この第２の開口４１及び第３の開口４２がケーシング１の第１の開口１４に連通するので、第２の開口４１及び第１の開口１４を介して収容スペース１３に給気してから、第１の開口１４及び第３の開口４２を介して排気することができる。
【００２０】
この底板４におけるケーシング１に背向する側にはパネル５が更に設けられてもよい。このパネル５の外形は限られるものではなく、本実施例において、このパネル５は矩形状を呈している。このパネル５は弾性片５４による係着等の方式により底板４に固定できる。このパネル５は吸込口５１と吹出口５２とを有し、吸込口５１と吹出口５２は第２の開口４１と第３の開口４２とにそれぞれ対応し、吸込口５１が第２の開口４１を介して第１の開口１４及び収容スペース１３に連通でき、吹出口５２が第３の開口４２を介して第１の開口１４及び収容スペース１３に連通できる。吸込口５１及び吹出口５２はいずれもパネル５に設けられ、吸込口５１及び吹出口５２は同一の平面に位置することによって、吸込口５１及び吹出口５２を換気扇装置の同一面に位置させる。この吸込口５１は開口、吸い込みグリッドまたはメッシュ等の型式であってもよく、限られるものではない。本実施例において、吸込口５１は開口の型式である。この吸込口５１の内側にフィルター５３等の装置が設けられてもよい。この吹出口５２は吸込口５１の一側に位置し、吸込口５１と吹出口５２との間に間隔をあけるように間隔部５５が設けられてもよい。
【００２１】
本考案はケーシング１の収容スペース１３に二つのフラップ３０が設けられ、フラップ３０はほぼ板状体を呈し、その形状は吹き出した風の逆流を止める効果が達成できるものであれば、どのようなものであってもよい。二つのフラップ３０は収容スペース１３内に設けられ、貫流ファン２の両側と第３の開口４２の両側との間に位置し、つまり、二つのフラップ３０は第１の側板１１ａ及びモーターベース３１の内側に設けられてよく、二つのフラップ３０はねじ止めまたは係着等の方式により第１の側板１１ａ及びモーターベース３１に固定でき、制御板７５または他の好適な位置にも固定できる。二つのフラップ３０は第３の開口４２の両側と貫流ファン２の両側との間に位置している。ケーシング１の収容スペース１３の内部における貫流ファン２の両側に吹き出した風の逆流がある場合、二つのフラップ３０により吹き出した風の逆流を止めることができる。
【００２２】
本考案はケーシング１に設けられ吹出口５２と第３の開口４２とに対応する少なくとも一つの第１のファンブレード６１を含み、風を上下にガイドする効果を提供できる上下導風機構６が更に設けられてもよい。第１のファンブレード６１の数は限られるものではなく、本実施例において、二つの第１のファンブレード６１が設けられている。本実施例において、ケーシング１における吹出口５２と第３の開口４２とに対応する位置にフレームベース７が更に設けられている。このフレームベース７は第１の接続板７１と、第２の接続板７２と、第１の固定板７３と、第２の固定板７４とを含み、第１の接続板７１及び第２の接続板７２は互いに平行かつ間隔をあけて設けられ、第１の固定板７３及び第２の固定板７４は第１の接続板７１及び第２の接続板７２の両端の間に接続されることによって、中空形状のフレームベース７が形成される。
【００２３】
第１の接続板７１にも制御板７５が接続されている。第１の接続板７１及び制御板７５は第２の開口４１と第３の開口４２との間に位置し、第２の開口４１と第３の開口４２とにそれぞれ対応するように、第１の開口１４を区分して二つの部分を形成することができる。この制御板７５と底板４との間に少なくとも一つの支持片４３が更に設けられてもよい。この支持片４３の両端はねじ止め等等の方式により制御板７５と底板４にそれぞれ固定され、底板４の強度を増加させるように補強作用を提供することができる。第１の接続板７１と第２の接続板７２との間に少なくとも一つの支持バー７６が更に設けられてもよい。この支持バー７６の両端は第１の接続板７１及び第２の接続板７２にそれぞれ接続され、フレームベース７の強度を増加させるように補強作用を提供することができる。
【００２４】
第１のファンブレード６１はフレームベース７内に枢設され、つまり、第１のファンブレード６１の両端はフレームベース７の両側に枢設されて、第１のファンブレード６１が上下にスウィングして、風の吹き出し方向を上下に調整できるようになる。好ましくは、第１のファンブレード６１が電気的に駆動され、つまり、この上下導風機構６が第２のモーター６２も含む。この第２のモーター６２はフレームベース７の一側に設けられてもよく、好適な制御回路（例えば、制御ボックス１０）に電気的に接続される。第２のモーター６２はそれぞれ第１の伝動機構６３（例えば、コンロッドセット）を介して第１のファンブレード６１に接続されてよい。
【００２５】
本考案はケーシング１に設けられ吹出口５２と第３の開口４２とに対応する少なくとも一つの第２のファンブレード８１を含み、風を左右にガイドする効果を提供できる左右導風機構８が更に設けられてもよい。第２のファンブレード８１の数は限られるものではなく、本実施例において、複数の第２のファンブレード８１が設けられている。第２のファンブレード８１はフレームベース７内に枢設される。つまり、第２のファンブレード８１の両端はフレームベース７の頂側及び底側に枢設されて、第２のファンブレード８１が左右にスウィングして、風の吹き出し方向を左右に調整できるようになる。好ましくは、第２のファンブレード８１が電気的に駆動される。つまり、この左右導風機構８は第３のモーター８２も含む。この第３のモーター８２はフレームベース７の一側に設けられてもよく、好適な制御回路（例えば、制御ボックス１０）に電気的に接続される。第３のモーター８２はそれぞれ第２の伝動機構８３（例えば、コンロッドセット）を介して第２のファンブレード８１に接続されてよい。
【００２６】
また、リモコン板９が更に設けられてもよい。このリモコン板９は第１のモーター３に電気的に接続できることによって、リモート方式により第１のモーター３をスタートさせて、貫流ファン２が回転駆動される。このリモコン板９も第２のモーター６２及び第３のモーター８２に電気的に接続できることによって、リモート方式により第２のモーター６２及び第３のモーター８２をスタートさせ、第１のファンブレード６１及び第２のファンブレード８１を連れて連続にスウィングさせるので、より広い領域へ循環に送風する効果が達成されるように、吹き出した風を均一なものとすることができる。
【００２７】
また、本考案は第１のファンブレード６１及び第２のファンブレード８１のスウィング角度をそれぞれ検出するための第１のマイクロスイッチ６４及び第２のマイクロスイッチ８４が更に設けられてもよい。この第２のモーター６２及び第３のモーター８２はブラシレス直流モーターまたはステッピングモーター等を採用できるので、小型、軽量等のメリットがあるが、第２のモーター６２及び第３のモーター８２の型式は限られるものではなく、他の型式のモーターであってもよい。本考案はケーシング１に、好適な制御回路（例えば、制御ボックス１０）に電気的に接続される電源外接ボックス２０が更に設けられてもよい。
【００２８】
本考案の換気扇装置は天井または軽量形鋼フレーム等の箇所に取り付けられ、エアコンと協力して冷房効果を達成することができる。この換気扇装置はリモコン等の方式により制御・操作されてもよい。
【００２９】
本考案の換気扇装置は単独に使用されてもよく、エアコンと合わせて同時に使用されてもよい。使用される場合、第１のモーター３により貫流ファン２が回転駆動されることによって、吸込口５１から気流を吸い込んで、それを吹出口５２から吹き出すことができる。本考案がエアコンと合わせて使用される場合、室内の空気を速く対流させ、室内の冷気の分布を均一なものとすることができるので、設定温度を低くする必要がなく、同じ快適感が達成できるとともに、エアコンの消費電力を低減させることができ、さらに省エネルギーの効果が達成できる。
【００３０】
本考案の換気扇装置は第１のモーター３等の動力源を貫流ファン２の傍に設けるとともに、モーターベース３１により第１のモーター３と貫流ファン２とを区分できることによって、第１のモーター３と風経路を分けさせ、第１のモーター３による廃熱が風経路に入らないので、好ましい冷房効果を生じることができる。冷房をつけない場合であっても、熱い風が吹き出さず、ユーザが熱いと感じない。
【００３１】
本考案の換気扇装置はケーシング１の収容スペース１３内に二つのフラップ３０が設けられ、二つのフラップ３０が貫流ファン２の両側と第３の開口４２の両側との間に位置している。そこで、二つのフラップ３０は逆流による風切り音が生じられないように、吹き出した風の逆流を止めることができる。
【００３２】
本考案の換気扇装置の第１のモーター３はモーターベース３１と第２の側板１１ｂとの間に位置し、第２の側板１１ｂにモーター外蓋３２が固定され、モーター外蓋３２に第１のゴム部材３３が設けられ、モーターベース３１にモーター裏蓋３４が固定され、モーター裏蓋３４に第２のゴム部材３５が設けられ、第１のモーター３の両端が第１のゴム部材３３及び第２のゴム部材３５内にそれぞれ設けられ、第１のモーター３の外部に第１のゴム部材３３及び第２のゴム部材３５が被覆されているので、共振を効果的に減少させ、振動騒音を低減させることができる。
【００３３】
本考案の換気扇装置の貫流ファン２の一端は軸受け基板２２及びベアリングゴム部材２３を介して第１の側板１１ａに枢着されてもよいので、共振を効果的に減少させ、振動騒音を低減させることもできる。
【００３４】
以上に記載のことは本考案の好ましい実施例に過ぎず、本考案の実用新案登録請求の範囲を限定するものではない。本考案の明細書及び図面の内容に基づき為された等価変化はいずれも本考案の実用新案登録請求の範囲に属するものとする。
【符号の説明】
【００３５】
１  ケーシング
１１ａ    第１の側板
１１ｂ    第２の側板
１２    保護板セット
１２１    第１の保護板
１２２    第２の保護板
１２３    第３の保護板
１３    収容スペース
１４    第１の開口
２    貫流ファン
２１    ファンブレード
２２    軸受け基板
２２１    凹溝
２３    ベアリングゴム部材
２３１    ベアリング
２３２    ゴムリング
３    第１のモーター
３１    モーターベース
３２    モーター外蓋
３３    第１のゴム部材
３４    モーター裏蓋
３５    第２のゴム部材
４    底板
４１    第２の開口
４２    第３の開口
４３    支持片
５    パネル
５１    吸込口
５２    吹出口
５３    フィルター
５４    弾性片
５５    間隔部
６    上下導風機構
６１    第１のファンブレード
６２    第２のモーター
６３    第１の伝動機構
６４    第１のマイクロスイッチ
７    フレームベース
７１    第１の接続板
７２    第２の接続板
７３    第１の固定板
７４    第２の固定板
７５    制御板
７６    支持バー
８    左右導風機構
８１    第２のファンブレード
８２    第３のモーター
８３    第２の伝動機構
８４    第２のマイクロスイッチ
９    リモコン板
１０    制御ボックス
２０    電源外接ボックス
３０    フラップ
【図１】
0003204191.tif 000003
【図２】
0003204191.tif 000004
【図３】
0003204191.tif 000005
【図４】
0003204191.tif 000006
【図５】
0003204191.tif 000007
【図６】
0003204191.tif 000008